(57)【要約】【課題】携帯電話機等の携帯端末装置とヘッドセット等の外部リモート装置との間で、ＡＶプロファイルによる着信音鳴動処理と、ＨＦＰによる着信音鳴動処理とが競合した場合に、最適な着信音鳴動処理を行なう携帯端末装置を提供すること。【解決手段】携帯電話機１０とヘッドセット１２との間で、ＡＶプロファイルによる着信音鳴動処理と、ハンズフリープロファイルによる着信音鳴動処理とが競合した場合であって、携帯電話機１０においてインバンド通知モードが設定されている場合には、ヘッドセット１２におけるＡＶ着信音鳴動を停止させ（ステップＳ１４）、ハンズフリープロファイルによって通話を行なう為の音声リンクを接続し（ステップＳ１７）且つ前記ヘッドセット１２においてハンズフリープロファイルによる着信音鳴動を開始させる（ステップＳ１８）ことを特徴とする携帯端末装置。【選択図】      図３
2008187619.tif 000002
【特許請求の範囲】
【請求項１】
近距離無線通信機能を有する外部リモート装置と近距離無線通信を行う為の近距離無線通信部と、
ユーザーに着信を知らせる為のオーディオデータである着信音データを記憶する為の着信音データ記憶部と、
前記着信音データ記憶部に記憶されている着信音データによる着信音を、ハンズフリープロファイルによって前記外部リモート装置において鳴動させる制御を行なうモードであるインバンド通知モードが設定されているか否かを判断するインバンド設定判断部と、
前記近距離無線通信部を用いて行うハンズフリープロファイルによる通信を制御する為のハンズフリー機能制御部と、
前記近距離無線通信部を用いて行うＡＶプロファイルによる通信を制御する為のオーディオ機能制御部と、
を具備し、
ＡＶプロファイルによる着信音鳴動処理と、ハンズフリープロファイルによる着信音鳴動処理とが競合した場合であって、前記インバンド設定判断部によってインバンド通知モードが設定されていると判断された場合には、
前記オーディオ機能制御部は、ＡＶプロファイルによる着信音鳴動を行なわない制御をし、
前記ハンズフリー機能制御部は、ハンズフリープロファイルによって通話を行なう為の音声リンクを接続する制御を行い且つ前記外部リモート装置においてハンズフリープロファイルによって着信音を鳴動させる制御を行なうことを特徴とする携帯端末装置。
【請求項２】
近距離無線通信機能を有する外部リモート装置と近距離無線通信を行う為の近距離無線通信部と、
ユーザーに着信を知らせる為のオーディオデータである着信音データを記憶する為の着信音データ記憶部と、
前記着信音データ記憶部に記憶されている着信音データによる着信音を、ハンズフリープロファイルによって前記外部リモート装置において鳴動させる制御を行なうモードであるインバンド通知モードが設定されているか否かを判断するインバンド設定判断部と、
前記近距離無線通信部を用いて行うハンズフリープロファイルによる通信を制御する為のハンズフリー機能制御部と、
前記近距離無線通信部を用いて行うＡＶプロファイルによる通信を制御する為のオーディオ機能制御部と、
前記外部リモート装置が着信通知をハンズフリープロファイルによって受信したときに前記外部リモート装置が有している着信音データを鳴動させる機能であるハンズフリープロファイル着信音鳴動機能が、前記外部リモート装置にサポートされているか否かを判断する為のハンズフリープロファイル着信音鳴動機能サポート有無判断部と、
を具備し、
ＡＶプロファイルによる着信音鳴動処理と、ハンズフリープロファイルによる着信音鳴動処理とが競合した場合であって、前記インバンド設定判断部によってインバンド通知モードが設定されていないと判断され且つ前記ハンズフリープロファイル着信音鳴動機能サポート有無判断部によって前記ハンズフリープロファイル着信音鳴動機能が前記外部リモート装置にサポートされていると判断された場合には、
前記オーディオ機能制御部は、ＡＶプロファイルによる着信音鳴動を行なわない制御をし、
前記ハンズフリー機能制御部は、前記ハンズフリープロファイル着信音鳴動機能による着信音鳴動を前記外部リモート装置に開始させる制御を行なうことを特徴とする携帯端末装置。
【請求項３】
近距離無線通信機能を有する外部リモート装置と近距離無線通信を行う為の近距離無線通信部と、
ユーザーに着信を知らせる為のオーディオデータである着信音データを記憶する為の着信音データ記憶部と、
前記着信音データ記憶部に記憶されている着信音データによる着信音を、ハンズフリープロファイルによって前記外部リモート装置において鳴動させる制御を行なうモードであるインバンド通知モードが設定されているか否かを判断するインバンド設定判断部と、
前記近距離無線通信部を用いて行うハンズフリープロファイルによる通信を制御する為のハンズフリー機能制御部と、
前記近距離無線通信部を用いて行うＡＶプロファイルによる通信を制御する為のオーディオ機能制御部と、
前記外部リモート装置が着信通知をハンズフリープロファイルによって受信したときに前記外部リモート装置が有している着信音データを鳴動させる機能であるハンズフリープロファイル着信音鳴動機能が、前記外部リモート装置にサポートされているか否かを判断する為のハンズフリープロファイル着信音鳴動機能サポート有無判断部と、
を具備し、
ＡＶプロファイルによる着信音鳴動処理と、ハンズフリープロファイルによる着信音鳴動処理とが競合した場合であって、前記インバンド設定判断部によってインバンド通知モードが設定されていないと判断され且つ前記ハンズフリープロファイル着信音鳴動機能サポート有無判断部によって前記ハンズフリープロファイル着信音鳴動機能が前記外部リモート装置にサポートされていないと判断された場合には、
前記オーディオ機能制御部は、ＡＶプロファイルによって着信音の鳴動を行なう制御をすることを特徴とする携帯端末装置。
【請求項４】
近距離無線通信機能を有する外部リモート装置と近距離無線通信を行う為の近距離無線通信部と、
ユーザーに着信を知らせる為のオーディオデータである着信音データを記憶する為の着信音データ記憶部と、
前記着信音データ記憶部に記憶されている着信音データによる着信音を、ハンズフリープロファイルによって前記外部リモート装置において鳴動させる制御を行なうモードであるインバンド通知モードが設定されているか否かを判断するインバンド設定判断部と、
前記近距離無線通信部を用いて行うハンズフリープロファイルによる通信を制御する為のハンズフリー機能制御部と、
前記近距離無線通信部を用いて行うＡＶプロファイルによる通信を制御する為のオーディオ機能制御部と、
を具備し、
ＡＶプロファイルによる着信音鳴動処理と、ハンズフリープロファイルによる着信音鳴動処理とが競合した場合であって、前記インバンド設定判断部によってインバンド通知モードが設定されていないと判断された場合には、
前記オーディオ機能制御部は、ＡＶプロファイルによる着信音鳴動を行なわない制御をし、
前記ハンズフリー機能制御部は、着信通知をハンズフリープロファイルによって受信した前記外部リモート装置が当該外部リモート装置の有している着信音データを鳴動させる機能であるハンズフリープロファイル着信音鳴動機能によって、前記外部リモート装置に着信音鳴動を開始させる制御を行なうことを特徴とする携帯端末装置。
【請求項５】
前記ハンズフリープロファイル着信音鳴動機能サポート有無判断部による判断結果を記憶する為のハンズフリープロファイル着信音鳴動機能サポート有無記憶部と、
前記外部リモート装置に対して対応しているサービスの検索を行うサービス検索の制御を行なう為のサービス検索制御部と、
を更に含み、
前記サービス検索制御部によるサービス検索時に取得したハンズフリープロファイルサービス情報にハンズフリープロファイル着信音鳴動機能のサポートの有無を示す情報が含まれていた場合、及び前記ハンズフリー機能制御部によるハンズフリープロファイルサービスレベルコネクションのセットアップ処理時に、ハンズフリープロファイル着信音鳴動機能のサポートの有無を示す情報を取得した場合には、前記ハンズフリープロファイル着信音鳴動機能サポート有無記憶部は、前記サポートの有無を示す情報を記憶し、
前記ハンズフリープロファイル着信音鳴動機能サポート有無判断部は、前記ハンズフリープロファイル着信音鳴動機能サポート有無記憶部に記憶された前記サポートの有無を示す情報に基づいて、前記サポートの有無を判断することを特徴とする請求項２乃至請求項４のうち何れか一つに記載の携帯端末装置。
【発明の詳細な説明】
【技術分野】
【０００１】
本発明は、携帯電話機等の携帯端末装置に関する。
【背景技術】
【０００２】
近年、音楽のコンテンツ（以降、音楽コンテンツと称する）を再生出力可能な携帯電話機等の携帯端末装置が普及している。このような携帯電話機にて音楽コンテンツの再生を行なう場合、通常はヘッドホン等の出力機器から当該音楽コンテンツの音声を出力する。
【０００３】
そして、前記出力機器としては、携帯電話機にケーブルで接続されるヘッドホン以外には、例えばヘッドホンセット等の外部リモート装置も用いられている。このように出力機器として外部リモート装置を用いる場合、当該再生処理に係る音楽コンテンツは、携帯電話機から外部リモート装置へ、近距離無線通信によって送信される。したがって、当該携帯電話機と外部リモート装置とをケーブルで接続する必要がない為、ユーザーにとって利便性が高い。
【０００４】
ところで、このような携帯電話機に関連する技術として、例えば特許文献１に以下のような技術が開示されている。すなわち、特許文献１に開示された技術によれば、当該携帯電話機から外部リモート装置へ、音楽コンテンツの送受信を継続している状態において、音楽コンテンツ以外の出力情報についても、当該携帯電話機から外部リモート装置へ送信して出力することができる。
【０００５】
すなわち、特許文献１に開示された技術によれば、例えば、音楽コンテンツの再生中に呼信があった場合に、音楽コンテンツの送受信に用いる通信プロトコルと並列処理可能なリモート制御用通信プロトコルを兼用することで、着信通知が外部リモート装置へ送信される。
【特許文献１】特開２００６−４１７０２号公報
【発明の開示】
【発明が解決しようとする課題】
【０００６】
ところで、例えばＡＶプロファイル（オーディオのコンテンツのデータから生成したオーディオストリーム信号（コンテンツ再生信号）を送受信する為のプロファイル）によって、当該携帯電話機からヘッドセット等の外部リモート装置へ着信音データが送信され、該外部リモート装置においてＡＶプロファイルによる着信音が鳴動しているときに、ＨＦＰ（Ｈａｎｄｓ  Ｆｒｅｅ  Ｐｒｏｆｉｌｅ；携帯電話機と通信可能な外部リモート装置を操作して電話の発着呼処理し、外部リモート装置からハンズフリー状態で通話できるようにする為のプロファイル）による接続が当該携帯電話機のユーザーによって要求され、結果としてＡＶプロファイルによる着信音鳴動処理とＨＦＰによる着信音鳴動処理とが競合してしまうことは、充分に想定し得る事態であり、このような場合には何らかの誤動作が起こり得る。
【０００７】
しかしながら、前記特許文献１には、このようにＡＶプロファイルによる着信音鳴動処理とＨＦＰによる着信音鳴動処理とが競合した場合の処理に関しては、開示は勿論、示唆すらされていない。
【０００８】
本発明は、前記の事情に鑑みてなされたもので、携帯電話機等の携帯端末装置とヘッドセット等の外部リモート装置との間で、ＡＶプロファイルによる着信音鳴動処理とＨＦＰによる着信音鳴動処理とが競合した場合に誤動作を生じないように、最適な着信音鳴動処理を規定した携帯端末装置を提供することを目的とする。
【課題を解決するための手段】
【０００９】
前記の目的を達成するために、本発明の第１の態様による携帯端末装置は、近距離無線通信機能を有する外部リモート装置と近距離無線通信を行う為の近距離無線通信部と、ユーザーに着信を知らせる為のオーディオデータである着信音データを記憶する為の着信音データ記憶部と、前記着信音データ記憶部に記憶されている着信音データによる着信音を、ハンズフリープロファイルによって前記外部リモート装置において鳴動させる制御を行なうモードであるインバンド通知モードが設定されているか否かを判断するインバンド設定判断部と、前記近距離無線通信部を用いて行うハンズフリープロファイルによる通信を制御する為のハンズフリー機能制御部と、前記近距離無線通信部を用いて行うＡＶプロファイルによる通信を制御する為のオーディオ機能制御部と、を具備し、ＡＶプロファイルによる着信音鳴動処理と、ハンズフリープロファイルによる着信音鳴動処理とが競合した場合であって、前記インバンド設定判断部によってインバンド通知モードが設定されていると判断された場合には、前記オーディオ機能制御部は、ＡＶプロファイルによる着信音鳴動を行なわない制御をし、前記ハンズフリー機能制御部は、ハンズフリープロファイルによって通話を行なう為の音声リンクを接続する制御を行い且つ前記外部リモート装置においてハンズフリープロファイルによって着信音を鳴動させる制御を行なうことを特徴とする。
【００１０】
前記の目的を達成するために、本発明の第２の態様による携帯端末装置は、近距離無線通信機能を有する外部リモート装置と近距離無線通信を行う為の近距離無線通信部と、ユーザーに着信を知らせる為のオーディオデータである着信音データを記憶する為の着信音データ記憶部と、前記着信音データ記憶部に記憶されている着信音データによる着信音を、ハンズフリープロファイルによって前記外部リモート装置において鳴動させる制御を行なうモードであるインバンド通知モードが設定されているか否かを判断するインバンド設定判断部と、前記近距離無線通信部を用いて行うハンズフリープロファイルによる通信を制御する為のハンズフリー機能制御部と、前記近距離無線通信部を用いて行うＡＶプロファイルによる通信を制御する為のオーディオ機能制御部と、前記外部リモート装置が着信通知をハンズフリープロファイルによって受信したときに前記外部リモート装置が有している着信音データを鳴動させる機能であるハンズフリープロファイル着信音鳴動機能が、前記外部リモート装置にサポートされているか否かを判断する為のハンズフリープロファイル着信音鳴動機能サポート有無判断部と、を具備し、ＡＶプロファイルによる着信音鳴動処理と、ハンズフリープロファイルによる着信音鳴動処理とが競合した場合であって、前記インバンド設定判断部によってインバンド通知モードが設定されていないと判断され且つ前記ハンズフリープロファイル着信音鳴動機能サポート有無判断部によって前記ハンズフリープロファイル着信音鳴動機能が前記外部リモート装置にサポートされていると判断された場合には、前記オーディオ機能制御部は、ＡＶプロファイルによる着信音鳴動を行なわない制御をし、前記ハンズフリー機能制御部は、前記ハンズフリープロファイル着信音鳴動機能による着信音鳴動を前記外部リモート装置に開始させる制御を行なうことを特徴とする。
【００１１】
前記の目的を達成するために、本発明の第３の態様による携帯端末装置は、近距離無線通信機能を有する外部リモート装置と近距離無線通信を行う為の近距離無線通信部と、ユーザーに着信を知らせる為のオーディオデータである着信音データを記憶する為の着信音データ記憶部と、前記着信音データ記憶部に記憶されている着信音データによる着信音を、ハンズフリープロファイルによって前記外部リモート装置において鳴動させる制御を行なうモードであるインバンド通知モードが設定されているか否かを判断するインバンド設定判断部と、前記近距離無線通信部を用いて行うハンズフリープロファイルによる通信を制御する為のハンズフリー機能制御部と、前記近距離無線通信部を用いて行うＡＶプロファイルによる通信を制御する為のオーディオ機能制御部と、前記外部リモート装置が着信通知をハンズフリープロファイルによって受信したときに前記外部リモート装置が有している着信音データを鳴動させる機能であるハンズフリープロファイル着信音鳴動機能が、前記外部リモート装置にサポートされているか否かを判断する為のハンズフリープロファイル着信音鳴動機能サポート有無判断部と、を具備し、ＡＶプロファイルによる着信音鳴動処理と、ハンズフリープロファイルによる着信音鳴動処理とが競合した場合であって、前記インバンド設定判断部によってインバンド通知モードが設定されていないと判断され且つ前記ハンズフリープロファイル着信音鳴動機能サポート有無判断部によって前記ハンズフリープロファイル着信音鳴動機能が前記外部リモート装置にサポートされていないと判断された場合には、前記オーディオ機能制御部は、ＡＶプロファイルによって着信音の鳴動を行なう制御をすることを特徴とする。
【００１２】
前記の目的を達成するために、本発明の第４の態様による携帯端末装置は、近距離無線通信機能を有する外部リモート装置と近距離無線通信を行う為の近距離無線通信部と、ユーザーに着信を知らせる為のオーディオデータである着信音データを記憶する為の着信音データ記憶部と、前記着信音データ記憶部に記憶されている着信音データによる着信音を、ハンズフリープロファイルによって前記外部リモート装置において鳴動させる制御を行なうモードであるインバンド通知モードが設定されているか否かを判断するインバンド設定判断部と、前記近距離無線通信部を用いて行うハンズフリープロファイルによる通信を制御する為のハンズフリー機能制御部と、前記近距離無線通信部を用いて行うＡＶプロファイルによる通信を制御する為のオーディオ機能制御部と、を具備し、ＡＶプロファイルによる着信音鳴動処理と、ハンズフリープロファイルによる着信音鳴動処理とが競合した場合であって、前記インバンド設定判断部によってインバンド通知モードが設定されていないと判断された場合には、前記オーディオ機能制御部は、ＡＶプロファイルによる着信音鳴動を行なわない制御をし、前記ハンズフリー機能制御部は、着信通知をハンズフリープロファイルによって受信した前記外部リモート装置が当該外部リモート装置の有している着信音データを鳴動させる機能であるハンズフリープロファイル着信音鳴動機能によって、前記外部リモート装置に着信音鳴動を開始させる制御を行なうことを特徴とする。
【発明の効果】
【００１３】
本発明は、ＡＶプロファイルによる着信音鳴動処理とＨＦＰによる着信音鳴動処理とが競合した場合に誤動作を生じないように、最適な着信音鳴動処理を規定した携帯端末装置を提供することができる。
【発明を実施するための最良の形態】
【００１４】
以下、図面を参照して本発明の一実施形態に係る携帯電話機について説明する。
【００１５】
図１は、本一実施形態におけるシステムの構成を示すブロック図である。図１では、携帯端末装置である携帯電話機１０がサービスを提供するサーバ端末として動作し、例えば携帯電話機１０との間で無線通信が可能な対向デバイスであるヘッドセット１２が携帯電話機１０に対してサービスの提供を要求するものとする。
【００１６】
携帯電話機１０が提供するサービスとしては、例えばハンズフリーサービスを挙げることができる。このハンズフリーサービスの提供を受けることで、ヘッドセット１２では、携帯電話機１０により通信網を介して接続される相手との通話を、携帯電話機１０を介して行なうことができる。
【００１７】
携帯電話機１０は、例えば携帯電話機として構成されるもので、移動通信網５に収容された基地局（不図示）との間で無線通信をする機能を有する。また、携帯電話機１０は、ヘッドセット１２との間で例えばＢｌｕｅｔｏｏｔｈ（登録商標）などの規格に従う近距離無線通信を行う機能を有する。
【００１８】
図２は、本一実施形態に係る携帯電話機１０の構成（本一実施形態に特有の動作制御に関わる構成）を示すブロック図である。図２に示すように、携帯電話機１０は、制御部１０１と、近距離無線通信部１０２と、無線通信部１０３と、ＲＡＭ１１０と、ＲＯＭ１２０と、入力手段１３０とを具備する。
【００１９】
前記制御部１０１は、移動通信網５を介した音声通話データ通信や、対向デバイスであるヘッドセット１２に対するサービスの提供等の各種機能の実行における動作制御を行なう。
【００２０】
前記近距離無線通信部１０２は、例えばＢｌｕｅｔｏｏｔｈに従って、当該携帯電話機１０と前記ヘッドセット１２との間で近距離無線通信を行なう為の部材である。
【００２１】
前記無線通信部１０３は、移動通信システムにおける前記移動通信網５に収容された基地局（不図示）との通信を行なう為の部材である。
【００２２】
前記ＲＡＭ１１０は、種々のデータ（詳細は後述する）を記憶するメモリである。
【００２３】
前記ＲＯＭ１２０は、前記制御部１０１が各部を統括して制御する為の制御プログラム（詳細は後述する）を記憶するメモリである。
【００２４】
前記入力手段１３０は、ユーザーが当該携帯電話機１０に希望する機能を実行させる為の入力部材である。
【００２５】
ここで、前記ＲＡＭ１１０は、インバンド設定記憶領域１１１と、ＨＦＰ着信音鳴動機能サポート有無記憶領域１１２と、オーディオデータ記憶領域１１３と、着信音データ記憶領域１１４とを有する。
【００２６】
前記インバンド設定記憶領域１１１は、後述する着信音データ領域１１４に記憶されている着信音データによる着信音を、ＨＦＰによって前記ヘッドセット１２において鳴動させるモード（インバンド通知モード）の設定の有無を記憶する為の領域である。
【００２７】
前記ＨＦＰ着信音鳴動機能サポート有無記憶領域は、ヘッドセット１２が有しているオーディオデータを当該ヘッドセット１２が着信通知（ＲＩＮＧ通知）をＨＦＰによって受信したときに鳴動させるＨＦＰ着信音鳴動機能が当該ヘッドセット１２にサポートされているか否か（後述するＨＦＰ着信音鳴動機能判断モジュール１２４による判断結果）を記憶する為の領域である。
【００２８】
前記オーディオデータ記憶領域１１３は、オーディオデータを記憶する為の領域である。
【００２９】
前記着信音データ記憶領域１１４は、着信をユーザーに知らせる為のオーディオデータである着信音データを記憶する為の領域である。
【００３０】
また、前記ＲＯＭ１２０は、ハンズフリー機能制御モジュール１２１と、オーディオ機能制御モジュール１２２と、インバンド設定判断モジュール１２３と、ＨＦＰ着信音鳴動機能判断モジュール１２４と、サービス検索制御モジュール１２５とを有する。
【００３１】
前記ハンズフリー機能制御モジュール１２１は、前記近距離無線通信部１０２を用いて行うＨＦＰによる通信を前記制御部１０１が制御する為のプログラム等を記憶するモジュールである。
【００３２】
前記オーディオ機能制御モジュール１２２は、前記近距離無線通信部１０２を用いて行うＡＶプロファイルによる通信を前記制御部１０１が制御する為のプログラム等を記憶するモジュールである。
【００３３】
前記インバンド設定判断モジュール１２３は、前記インバンド通知モードの設定の有無を前記制御部１０１が判断する為のプログラム等を記憶するモジュールである。
【００３４】
前記ＨＦＰ着信音鳴動機能判断モジュール１２４は、前記ＨＦＰ着信音鳴動機能の設定の有無を前記制御部１０１が判断する為のプログラム等を記憶するモジュールである。
【００３５】
前記サービス検索制御モジュール１２５は、対向デバイスであるヘッドセット１２に対して対応しているサービスの検索を行うサービス検索処理を前記制御部１０１が制御する為のプログラム等を記憶するモジュールである。
【００３６】
以下、本一実施形態に係る携帯電話機１０と前記ヘッドセット１２との間で、ＡＶプロファイルによる着信音鳴動処理とＨＦＰによる着信音鳴動処理とが競合した場合に誤動作を生じないように規定した着信音鳴動処理について、図３乃至図６を参照して説明する。
【００３７】
ここで、図３は、インバンド通知モードの設定が有りの場合における処理のシーケンスを示す図である。図４は、インバンド通知モードの設定が無しの場合における処理のシーケンスを示す図である。図５は、ＨＦＰ着信音鳴動機能がヘッドセット１２にサポートされていない場合における処理のシーケンスを示す図である。図６は、ＨＦＰ着信音鳴動機能がヘッドセット１２にサポートされているかいないか不明な場合における処理のシーケンスを示す図である。
【００３８】
当該携帯電話機１０と前記基地局との間では、移動体通信が行われる。そして、当該携帯電話機１０と前記ヘッドセット１２との間では、Ｂｌｕｅｔｏｏｔｈに従った通信が行われ、その通信制御では、Ｂｌｕｅｔｏｏｔｈ標準規格で定められている制御信号が使用される。
【００３９】
なお、以下説明する通信処理における動作制御は、携帯電話機１０では前記制御部１０１が行い、ヘッドセット１２では前記ヘッドセット１２の有する制御部（不図示）が行う。このことは、説明の便宜上、以下の説明においては逐次指摘せずに、各動作制御の主体（携帯電話機１０又はヘッドセット１２）のみを指摘する。
【００４０】
ところで、携帯電話機１０は、ＡＶプロファイルによる処理を行なう際の機能として、オーディオデータの送信を行なう機能であるＳＲＣ（ソース）機能を有し、ＨＦＰによる処理を行なう際の機能として、移動通信網５を使用して音声通話の発信や着信等を行なう機能であるＡＧ（オーディオゲートウェイ）機能を有する。同様に、ヘッドセット１２は、ＡＶプロファイルによる処理を行なう際の機能として、受信したオーディオデータをスピーカ等で鳴動する機能であるＳＮＫ（シンク）機能を有し、ＨＦＰによる処理を行なう際の機能として、ＡＧ機能を有するデバイスに音声通話の発信要求や着信応答、ハンズフリー通話等を行なう機能であるＨＦ機能を有する。したがって、携帯電話機１０及びヘッドセット１２は、以下説明する通信処理においては、それぞれ適宜前記の各機能を用いて処理を行なう。
【００４１】
換言すれば、携帯電話機１０は、ＡＶプロファイルによる処理を行なう際にはＳＲＣ機能を用い、ＨＦＰによる処理を行なう際にはＡＧ機能を用いる。同様に、ヘッドセット１２は、ＡＶプロファイルによる処理を行なう際にはＳＮＫ機能を用い、ＨＦＰによる処理を行なう際にはＨＦ機能を用いる。
【００４２】
［インバンド通知モードの設定が有りの場合における処理］
以下、図３を参照して、インバンド通知モードの設定が有りの場合における処理のシーケンスを説明する。
【００４３】
まず、携帯電話機１０及びヘッドセット１２は、それぞれがＡＶプロファイル（例えばＡ２ＤＰ）を起動して、相互間でＡＶプロファイルによるセッション確立を行う（ステップＳ１）。これ以降の、携帯電話機１０とヘッドセット１２間のＢｌｕｅｔｏｏｔｈ通信は、他のプロファイルによる接続が確立してそのプロファイルへの変更が行われるまで、ＡＶプロファイル手順により行われる。ここで、例えば携帯電話機１０からヘッドセット１２へ、オーディオコンテンツのストリーミング伝送が実行されていても良い。
【００４４】
その後、携帯電話機１０は、基地局（不図示）から送信される着信信号の到来を待つ。そして、基地局（不図示）から着信信号が送信されると、携帯電話機１０は無線通信部１０３によってこれを受信して検出する（ステップＳ２）。そして、携帯電話機１０は、当該携帯電話機から送信するストリーミングデータとしての着信音データ（ＡＶ着信音データとして、前記ＲＡＭ１１０における前記着信音データ記憶領域１１４に記憶）による着信音を鳴動開始する要求信号を、ＡＶプロファイル手順によりヘッドセット１２へ送信する（ステップＳ３）。ヘッドセット１２はこれを受信し、ストリーミングデータとしてのＡＶ着信音データによる着信音を鳴動開始する旨の応答信号を、携帯電話機１０へ送信する（ステップＳ４）。そして、ヘッドセット１２において、ＡＶプロファイルに従ってのＡＶ着信音データの鳴動が開始する（ステップＳ５）。
【００４５】
ここで、ヘッドセット１２を用いてハンズフリーにて通話を行なう為に、ユーザーによって、携帯電話機１０とヘッドセット１２とのＨＦＰ接続を要求する所定の操作が、ヘッドセット１２において行われる（ステップＳ６）。すると、ヘッドセット１２はＨＦＰを起動し、携帯電話機１０に対してＨＦＰによるセッション確立の要求信号を送信する（ステップＳ７）。
【００４６】
携帯電話機１０は、このステップＳ７において送信された要求信号を受信すると、ヘッドセット１２に対してＨＦＰによるセッションを確立する旨の応答信号を送信する（ステップＳ８）。そして、携帯電話機１０とヘッドセット１２との間でＨＦＰによる接続が確立する（ステップＳ９）。
【００４７】
ここで、携帯電話機１０は、インバンド通知モードの設定が有るか否かを判断し（ステップＳ１０）、インバンド通知モードの設定が有ると判断した場合は、その旨をヘッドセット１２へ送信する（ステップＳ１１）。さらに、ストリーミングデータとしてのＡＶ着信音データによるＡＶ着信音を鳴動するのを停止させる要求信号をヘッドセット１２へ送信する（ステップＳ１２）。ヘッドセット１２はこれを受信し、ストリーミングデータとしてのＡＶ着信音データによってＡＶ着信音を鳴動するのを停止させる旨の応答信号を、携帯電話機１０へ送信する（ステップＳ１３）。そして、ヘッドセット１２における着信音の鳴動が停止する（ステップＳ１４）。
【００４８】
その後、携帯電話機１０は、基地局（不図示）から送信された着信信号を受信した旨を示す着信状態通知をヘッドセット１２へ送信する（ステップＳ１５）。さらに、携帯電話機１０は、ヘッドセット１２を用いてＨＦＰによって通話を行なう為の音声リンクを接続する要求信号を、ヘッドセット１２へ送信する（ステップＳ１６）。これを受信したヘッドセット１２は、ＨＦＰによって通話を行なう為の音声リンクを接続する旨の応答信号を携帯電話機１０に送信し、携帯電話機１０とヘッドセット１２との間で音声リンクの接続が確立する（ステップＳ１７）。そして、インバンド通知モードによる着信音の鳴動が、ヘッドセット１２において開始される（ステップＳ１８）。このステップＳ１８において鳴動開始される着信音の着信音データは、ＨＦＰ着信音データとして、前記ＲＡＭ１１０における着信音データ記憶領域１１４に記憶されている。
【００４９】
なお、前記ＡＶ着信音データ及び前記ＨＦＰ着信音データとしては、互いに同じ着信音データを共通に用いてもよいし、互いに異なる着信音データを用いても勿論よい。
【００５０】
前記ステップＳ１８において、ヘッドセット１２において着信音の鳴動が開始した後、携帯電話機１０からヘッドセット１２へ、着信音鳴動中に定期的に通知される制御信号であるＲＩＮＧ通知が送信される（ステップＳ１９、ステップＳ２０）。
【００５１】
［インバンド通知モードの設定が無しの場合における処理］
次に、図４を参照して、インバンド通知モードの設定が無しの場合における処理のシーケンスを説明する。この場合、上述したインバンド通知モードの設定が有りの場合における処理と、ステップＳ１乃至ステップＳ９に関しては同様の処理である。したがって、インバンド通知モードの設定が無しの場合に特有の処理であるステップＳ３１乃至ステップＳ３９における処理を説明する。
【００５２】
前記ステップＳ９において、携帯電話機１０とヘッドセット１２との間でＨＦＰによる接続が確立した後、携帯電話機１０は、インバンド通知モードの設定が有るか否かを判断し（ステップＳ３１）、インバンド通知モードの設定が無いと判断した場合は、その旨をヘッドセット１２へ送信する（ステップＳ３２）。
【００５３】
続いて、携帯電話機１０は、ＨＦＰ着信音鳴動機能がサポートされているか否かをヘッドセット１２に確認する機能を当該携帯電話機１０が有しているか否かを判断し（ステップＳ３３）、該確認機能を有していると判断した場合は、ＨＦＰ着信音鳴動機能がサポートされているか否かを確認要求する信号をヘッドセット１２に送信する（ステップＳ３４）。これを受信したヘッドセット１２は、ＨＦＰ着信音鳴動機能のサポートの有無（ここではサポートされているとする）を示す応答信号を携帯電話機１０に送信する（ステップＳ３５）。
【００５４】
携帯電話機１０は、前記ステップＳ３５にて送信された応答信号によって、ヘッドセット１２はＨＦＰ着信音鳴動機能がサポートされていると判断する（ステップＳ３６）。そして、ストリーミングデータとしてＡＶ着信音データによるＡＶ着信音を鳴動するのを停止させる要求信号をヘッドセット１２へ送信する（ステップＳ３７）。ヘッドセット１２はこれを受信し、ストリーミングデータとしてのＡＶ着信音データによるＡＶ着信音を鳴動するのを停止させる応答信号を、携帯電話機１０へ送信する（ステップＳ３８）。そして、ヘッドセット１２における着信音の鳴動が停止する（ステップＳ３９）。
【００５５】
その後、携帯電話機１０は、基地局から送信された着信信号を受信した旨を示す着信状態通知をヘッドセット１２へ送信する（ステップＳ４０）。携帯電話機１０からヘッドセット１２へ、定期的に通知される制御信号であるＲＩＮＧ通知が送信される（ステップＳ４１）。これを受信したヘッドセット１２は、ＨＦＰ着信音鳴動機能によって、当該ヘッドセット１２における記憶部（不図示）に記憶されているＨＦＰ着信音データによるＨＦＰ着信音を鳴動させる（ステップＳ４２）。この後、携帯電話機１０からヘッドセット１２へのＲＩＮＧ通知の送信（ステップＳ４３）と、ヘッドセット１２におけるＨＦＰ着信音の鳴動（ステップＳ４４）とが、順次交互に繰り返される。
【００５６】
［ＨＦＰ着信音鳴動機能がヘッドセット１２にサポートされていない場合における処理］
次に、図５を参照して、ＨＦＰ着信音鳴動機能がヘッドセット１２にサポートされていない場合における処理のシーケンスを説明する。この場合、上述したインバンド通知モードの設定が無しの場合における処理と、ステップＳ１乃至ステップＳ３４に関しては同様の処理である。したがって、ＨＦＰ着信音鳴動機能がヘッドセット１２にサポートされていない場合に特有の処理であるステップＳ５１乃至ステップＳ５５における処理を説明する。
【００５７】
前記ステップＳ３４にて携帯電話機１０から送信された確認要求信号を受信したヘッドセット１２は、ＨＦＰ着信音鳴動機能のサポートの有無（ここでは、当該ヘッドセット１２にはＨＦＰ着信音鳴動機能はサポートされていないとする）を示す応答信号を携帯電話機１０に送信する（ステップＳ５１）。
【００５８】
携帯電話機１０は、前記ステップＳ５１にて送信された応答信号によって、ヘッドセット１２はＨＦＰ着信音鳴動機能がサポートされていないと判断する（ステップＳ５２）。続いて、携帯電話機１０は、基地局（不図示）から送信された着信信号を受信した旨を示す着信状態通知をヘッドセット１２へ送信する（ステップＳ５３）。携帯電話機１０からヘッドセット１２へ、定期的に通知される制御信号であるＲＩＮＧ通知が送信される（ステップＳ５４）。以降、携帯電話機１０からヘッドセット１２へ、ＲＩＮＧ通知が定期的に送信される（ステップＳ５５）。
【００５９】
つまり、携帯電話機１０におけるインバンド通知モードの設定が無い場合であって、ＨＦＰ着信音鳴動機能がヘッドセット１２にサポートされていない場合には、前記ステップＳ５において開始されたヘッドセット１２におけるＡＶ着信音の鳴動が続行される。
【００６０】
［ＨＦＰ着信音鳴動機能がヘッドセット１２にサポートされているかいないか不明な場合における処理］
次に、図６を参照して、ＨＦＰ着信音鳴動機能がヘッドセット１２にサポートされているかいないか不明な場合における処理のシーケンスを説明する。この場合、上述したＨＦＰ着信音鳴動機能がヘッドセット１２にサポートされていない場合における処理と、ステップＳ１乃至ステップＳ３２に関しては同様の処理である。したがって、ＨＦＰ着信音鳴動機能がヘッドセット１２にサポートされているか否かが不明な場合に特有の処理であるステップＳ６１乃至ステップＳ６９における処理を説明する。
【００６１】
前記ステップＳ３２における処理を終えた後、携帯電話機１０は、ＨＦＰ着信音鳴動機能がサポートされているか否かをヘッドセット１２に確認する機能を当該携帯電話機１０が有しているか否かを（ここでは該機能を有していないと）判断する（ステップＳ６１）。
【００６２】
そして、携帯電話機１０は、前記ステップＳ５において開始されたストリーミングデータとしてのＡＶ着信音データによるＡＶ着信音の鳴動を停止させる要求信号を、ヘッドセット１２へ送信する（ステップＳ６２）。ヘッドセット１２はこれを受信し、ストリーミングデータとしてのＡＶ着信音データによるＡＶ着信音の鳴動を停止させる旨の応答信号を、携帯電話機１０へ送信する（ステップＳ６３）。そして、ヘッドセット１２における着信音の鳴動が停止する（ステップＳ６４）。
【００６３】
続いて、携帯電話機１０は、基地局から送信された着信信号を受信した旨を示す着信状態通知をヘッドセット１２へ送信する（ステップＳ６５）。携帯電話機１０からヘッドセット１２へ、定期的に通知される制御信号であるＲＩＮＧ通知が送信される（ステップＳ６６）。
【００６４】
ここで、ヘッドセット１２にＨＦＰ着信音鳴動機能がサポートされていない場合には、ヘッドセット１２においては、以降何らの着信音も鳴動しない（ステップＳ６８）。一方、ヘッドセット１２にＨＦＰ着信音鳴動機能がサポートされている場合には、ヘッドセット１２は、ＨＦＰ着信音鳴動機能によるＨＦＰ着信音の鳴動、すなわち携帯電話機１０からヘッドセット１２へ送信されたＲＩＮＧ通知に対応して、当該ヘッドセット１２における記憶部（不図示）に記憶されているＨＦＰ着信音データによるＨＦＰ着信音の鳴動を行なう（ステップＳ６９）。
【００６５】
以上説明したように、本一実施形態によれば、携帯電話機等の携帯端末装置とヘッドセット等の外部リモート装置とが無線回線を介して接続されているとき、ＡＶプロファイルによる着信音鳴動処理とＨＦＰによる着信音鳴動処理とが競合した場合に誤動作を生じないように、最適な着信音鳴動処理を規定した携帯端末装置を提供することができる。
【００６６】
換言すれば、本一実施形態に係る携帯端末装置によれば、ＡＶプロファイルによる着信音鳴動処理と、ＨＦＰによる着信音鳴動処理とが競合した場合には、予め規定した最適な着信音鳴動処理を行なうので、誤動作を生じることが無い。
【００６７】
以上、一実施形態に基づいて本発明を説明したが、本発明は上述した実施形態に限定されるものではなく、本発明の要旨の範囲内で種々の変形及び応用が可能なことは勿論である。
【００６８】
［変形例］
例えば、前記の一実施形態においては、ＨＦＰ着信音鳴動機能がサポートされているか否かをヘッドセット１２に確認する機能を当該携帯電話機１０が有しているか否かの判断、及びＨＦＰ着信音鳴動機能がヘッドセット１２にサポートされているか否かの確認処理を、ＡＶプロファイルによる接続とＨＦＰによる接続とが競合した後に行なっている。
【００６９】
しかしながら、これらの処理を、ＡＶプロファイルによる接続とＨＦＰによる接続とが競合する前の時点、すなわちＨＦＰ接続の際のサービス検索時やサービスレベルコネクションセットアップ（ＨＦＰ  ｓｅｒｖｉｃｅ  ｌｅｖｅｌ  ｃｏｎｎｅｃｔｉｏｎ  ｓｅｔｕｐ）時等のタイミングで行なっても勿論よい。
【００７０】
以下、図７を参照して、ＨＦＰ接続の際のサービス検索時に、ＨＦＰ着信音鳴動機能がヘッドセット１２にサポートされているか否かの確認処理を行なう場合の処理を説明する。
【００７１】
まず、ユーザーによって携帯電話機１０にＨＦＰ初期登録を実行する旨の操作が行われる（ステップＳ１００）と、当該携帯電話機１０は、ヘッドセット１２に対して、対応しているサービスの検索を行うサービス検索処理の要求信号を送信する（ステップＳ１０１）。これを受信したヘッドセット１２は、サービス検索処理を行って、該サービス検索処理結果を示す応答信号を携帯電話機１０へ送信する（ステップＳ１０２）。
【００７２】
前記ステップＳ１０２にてヘッドセット１２から送信された応答信号に、ＨＦＰサービス情報としてＨＦＰ着信音鳴動機能のサポートの有無を示す情報が含まれていた場合、携帯電話機１０は、前記ＲＡＭ１１０における前記ＨＦＰ着信音鳴動機能サポート有無記憶領域１１２に、該サポートの有無を記憶する（ステップＳ１０３）。
【００７３】
続いて、携帯電話機１０は、ヘッドセット１２に対してＨＦＰサービスレベルコネクションセットアップを実行する（ステップＳ１０４）。そして、携帯電話機１０とヘッドセット１２との間にＨＦＰ接続が確立する（ステップＳ１０５）。
【００７４】
さらに、前記ステップＳ１０４におけるＨＦＰサービスレベルコネクションのセットアップ処理時に、ＨＦＰ着信音鳴動機能のサポートの有無を示す情報を取得した場合、携帯電話機１０は、前記ＲＡＭ１１０における前記ＨＦＰ着信音鳴動機能サポート有無記憶領域１１２に、該サポートの有無を記憶する（ステップＳ１０６）。そして、携帯電話機１０及びヘッドセット１２は、ＨＦＰ初期登録を完了する（ステップＳ１０７、ステップＳ１０８）。
【００７５】
なお、前記一実施形態においては、ＡＶプロファイルによる接続が確立しているときに、ヘッドセット１２側からＨＦＰ接続要求が為された場合を想定していたが、携帯電話機１０側からＨＦＰ接続要求が為される場合も、前記一実施形態を適用することができるのは勿論である。
【００７６】
以下、図８Ａ及び図８Ｂを参照して、ＡＶプロファイルによる接続が確立しているときに携帯電話機１０側からＨＦＰ接続要求が為される場合の処理の一例を説明する。
【００７７】
この場合、上述したインバンド通知モードの設定が有りの場合における処理と、ステップＳ１乃至ステップＳ５に関しては同様の処理である。したがって、ＡＶプロファイルによる接続が確立しているときに携帯電話機側からＨＦＰ接続要求が為される場合に特有の処理であるステップＳ１１０乃至ステップＳ１２９における処理を説明する。
【００７８】
前記ステップＳ５における処理を経た後、ヘッドセット１２を用いてハンズフリーにて通話を行なう為に、ユーザーによって、携帯電話機１０とヘッドセット１２とのＨＦＰ接続を要求する所定の操作が、携帯電話機１０において行われる（ステップＳ１１０）。
【００７９】
当該携帯電話機１０は、ヘッドセット１２に対して、対応しているサービスの検索を行うサービス検索処理の要求信号を送信する（ステップＳ１１１）。これを受信したヘッドセット１２は、サービス検索処理を行って、該サービス検索処理結果を示す応答信号を携帯電話機１０へ送信する（ステップＳ１１２）。
【００８０】
前記ステップＳ１１２にてヘッドセット１２から送信された応答信号に、ＨＦＰサービス情報としてＨＦＰ着信音鳴動機能のサポートの有無を示す情報が含まれていた場合、携帯電話機１０は、前記ＲＡＭ１１０における前記ＨＦＰ着信音鳴動機能サポート有無記憶領域１１２に、該サポートの有無を記憶する（ステップＳ１１３）。
【００８１】
続いて、携帯電話機１０は、ヘッドセット１２に対してＨＦＰサービスレベルコネクションセットアップを実行する（ステップＳ１１４）。そして、携帯電話機１０とヘッドセット１２との間にＨＦＰ接続が確立する（ステップＳ１１５）。
【００８２】
さらに、前記ステップＳ１１４におけるＨＦＰサービスレベルコネクションのセットアップ処理時に、ＨＦＰ着信音鳴動機能のサポートの有無を示す情報を取得した場合、携帯電話機１０は、前記ＲＡＭ１１０における前記ＨＦＰ着信音鳴動機能サポート有無記憶領域１１２に、該サポートの有無を記憶する（ステップＳ１１６）。
【００８３】
続いて、携帯電話機１０は、インバンド通知モードの設定が有るか否かを判断し（ステップＳ１１７）、インバンド通知モードの設定が無いと判断した場合は、その旨をヘッドセット１２へ送信する（ステップＳ１１８）。
【００８４】
ここで、ＨＦＰ着信音鳴動機能がサポートされているか否かをヘッドセット１２に確認する機能を当該携帯電話機１０が有している場合であって、前記ＲＡＭ１１０における前記ＨＦＰ着信音鳴動機能サポート有無記憶領域１１２に該サポートの有無が記憶されていない場合には、ＨＦＰ着信音鳴動機能がサポートされているか否かを確認要求する信号をヘッドセット１２に送信する（ステップＳ１１９）。これを受信したヘッドセット１２は、ＨＦＰ着信音鳴動機能のサポートの有無（ここではサポートされているとする）を示す応答信号を携帯電話機１０に送信する（ステップＳ１２０）。
【００８５】
携帯電話機１０は、前記ステップＳ１２０にてヘッドセット１２送信された応答信号から、ヘッドセット１２はＨＦＰ着信音鳴動機能がサポートされていると判断する（ステップＳ１２１）。そして、ストリーミングデータとしてのＡＶ着信音データによるＡＶ着信音の鳴動を停止させる要求信号をヘッドセット１２へ送信する（ステップＳ１２２）。ヘッドセット１２はこれを受信し、ストリーミングデータとしてのＡＶ着信音データによるＡＶ着信音の鳴動を停止させる旨の応答信号を、携帯電話機１０へ送信する（ステップＳ１２３）。そして、ヘッドセット１２における着信音の鳴動が停止する（ステップＳ１２４）。
【００８６】
続いて、携帯電話機１０は、基地局（不図示）から送信された着信信号を受信した旨を示す着信状態通知をヘッドセット１２へ送信する（ステップＳ１２５）。その後、携帯電話機１０からヘッドセット１２へ、定期的に通知される制御信号であるＲＩＮＧ通知が送信される（ステップＳ１２６）。
【００８７】
一方、このＲＩＮＧ通知を受信したヘッドセット１２は、ＨＦＰ着信音機能によるＨＦＰ着信音の鳴動、すなわち当該ヘッドセット１２における記憶部に記憶されているＨＦＰ着信音データによるＨＦＰ着信音の鳴動を行なう（ステップＳ１２７）。この後、携帯電話機１０からヘッドセット１２へのＲＩＮＧ通知の送信（ステップＳ１２８）と、ヘッドセット１２におけるＨＦＰ着信音の鳴動（ステップＳ１２９）とが、順次交互に繰り返される。
【００８８】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００８９】
【図１】本発明の一実施形態におけるシステムの構成を示すブロック図。
【図２】本発明の一実施形態に係る携帯電話機の構成（本一実施形態に特有の動作制御に関わる構成）を示すブロック図。
【図３】インバンド通知モードの設定が有りの場合における処理のシーケンスを示す図。
【図４】インバンド通知モードの設定が無しの場合における処理のシーケンスを示す図。
【図５】ＨＦＰ着信音鳴動機能がヘッドセットにサポートされていない場合における処理のシーケンスを示す図。
【図６】ＨＦＰ着信音鳴動機能がヘッドセットにサポートされているかいないか不明な場合における処理のシーケンスを示す図。
【図７】ＨＦＰ接続の際のサービス検索時に、ＨＦＰ着信音鳴動機能がサポートされているか否かをヘッドセットに確認する機能を当該携帯電話機が有しているか否かの判断、及びＨＦＰ着信音鳴動機能をヘッドセットが有しているか否かの確認処理を行なう場合の処理のシーケンスを示す図。
【図８Ａ】ＡＶプロファイルによる接続が確立しているときに携帯電話機側からＨＦＰ接続要求が為される場合の処理のシーケンスの第１の部分を示す図。
【図８Ｂ】ＡＶプロファイルによる接続が確立しているときに携帯電話機側からＨＦＰ接続要求が為される場合の処理のシーケンスの第２の部分を示す図。
【符号の説明】
【００９０】
１０…携帯電話機、  １２…ヘッドセット、  １０１…制御部、  １０２…近距離無線通信部、  １０３…無線通信部、  １１０…ＲＡＭ、  １１１…インバンド設定記憶領域、  １１２…ＨＦＰ着信音鳴動機能サポート有無記憶領域、  １１３…オーディオデータ記憶領域、  １１４…着信音データ記憶領域、  １２０…ＲＯＭ、  １２１…ハンズフリー機能制御モジュール、  １２２…オーディオ機能制御モジュール、  １２３…インバンド設定判断モジュール、  １２４…ＨＦＰ着信音鳴動機能判断モジュール、  １２５…サービス検索制御モジュール、  １３０…入力部。
【図１】
2008187619.tif 000003
【図２】
2008187619.tif 000004
【図３】
2008187619.tif 000005
【図４】
2008187619.tif 000006
【図５】
2008187619.tif 000007
【図６】
2008187619.tif 000008
【図７】
2008187619.tif 000009
【図８Ａ】
2008187619.tif 000010
【図８Ｂ】
2008187619.tif 000011